(57)【要約】【課題】固有の錠止機能を有する，信頼度の高いかばん用錠を提供する。【解決手段】かばん本体に取り付けたケース部に横引き可能に組み込まれたスライダの錠止部により、かばん蓋に取り付けた鉤を係止するかばん用錠であって、前記スライダ２に回転子５を外筒４に組み込んでなるシリンダ部２０が固定されており、該回転子５には複数個の可動障害子が内蔵されているとともにその下端部に係止カム１９が装着されており、該係止カム１９は鍵で前記可動障害子の拘束を開放して回転子を回転させることによりスライダに錠止機能を付与して施錠する。【選択図】図１
2004346609.tif 000002
【特許請求の範囲】
【請求項１】
かばん本体に取り付けたケース部の化粧板と裏板との間に横引き可能に組み込まれているスライダの錠止部により、かばん蓋に取り付けた鉤を係止するかばん用錠であって、前記スライダに、回転子を外筒に組み込んでなるシリンダ部が固定されており、該回転子には複数個の可動障害子が内蔵されているとともにその下端部に係止カムが装着されており、該係止カムは回転子の回転によって前記ケース部に係合したときスライダの横引きを阻止し、かつこの状態で回転子の回転を可動障害子によって固定したときスライダに錠止機能を付与することを特徴とするかばん用シリンダ錠。
【請求項２】
スライダがケース部の化粧板と裏板との間に横引き可能に組み込まれており、前記スライダと裏板が化粧板に内包され、かつシリンダ部と係止カムが裏板の内側に収容されており化粧板の下端面から突出していない請求項１に記載のかばん用シリンダ錠。
【請求項３】
係止カムが弾性部材を介在してケース部に係合しており、スライダが弾性部材の弾性力により横引き可能に保持されている請求項１または２に記載のかばん用シリンダ錠。
【請求項４】
回転子に内臓されている可動障害子の数が３〜５個である請求項１、２または３に記載のかばん用シリンダ錠。
【発明の詳細な説明】
【０００１】
【発明の属する技術分野】
本発明は、かばんやケース用として使用するのに適したかばん錠に関するもので、さらには固有の錠止機能を有するかばん用シリンダ錠に関する。
【０００２】
【従来の技術】
旅行用などのかばんには、かばん本体に取り付けたケース部に横引き可能に組み込まれたスライダの錠止部で、かばん蓋に取り付けた鉤を係止する錠止構造の錠が一般に使用されている。そして、その施錠はケース内においてスライダを係止カムで固定することにより行われる。ところが、このような錠に鍵を差し込んで回すと、鍵先が係止カムに係合して係止カムの錠止機能を容易に外せるために、かばんを簡単に開けることができる。しかも、これらの錠の仕様が実質的に同じであるために、共通の一つの鍵でほとんどのかばんを開けることができ、錠本来の機能を充分に果たしていないのが実情である。
【０００３】
かばん用錠としてこのように錠止構造が簡単な錠を採用する背景には、かばん特有の性質としてかばん自体を容易に持ち去ることができるために、施錠性能の高い錠を使用する認識が乏しく、かつその必要性も低いことが挙げられる。さらに、錠はかばんの比較的薄肉の側壁外面に取り付けなければならないために、薄型で構造的にも簡単なものが好しいということもその一つの理由である。
【０００４】
【発明が課題しようとする課題】
しかしながら、かばんの高級化や独自性に対する志向が強まるのにつれて、錠に対する差別化を求める傾向が強くなり、従来の錠のように共通の鍵で簡単に開口できる錠止構造のものでは充分な満足度が得られなくなった。その結果、自己のかばんだけに固有する、すなわち固有の鍵でないと開口できない錠の出現が強く求められている。
【０００５】
また、固有の錠止機能を有する錠としては、ドア用錠などに広く使用されているシリンダ錠が知られている。しかしながら、この種のシリンダ錠は可動障害子を内蔵する回転子が組み込まれているシリンダ部が錠の裏側に突出し、裏面が平坦でないために、薄肉のかばん本体に取り付けることは困難とされている。そのため、これまではかばん用錠にシリンダ錠を使用することは不適とされていた。
【０００６】
本発明は、上記課題に鑑みてなされたもので、シリンダ錠に係止カムを組み合わせた錠止構造にすることにより、錠の体裁をほとんど変えずに錠止機能をかばん毎に変更でき、かつ信頼度の高いかばん用シリンダ錠を提供することを目的とする。
【０００７】
【課題を解決するための手段】
本発明は上記課題を解決するために、錠のケース部に横引き可能に設けたスライダに、複数個の可動障害子を内臓する回転子を組み込んだシリンダ部を取り付け、この回転子に係止カムを装着することにより、前記目的が達成できるかばん用シリンダ錠を提供するもので、次の特徴を有している。
【０００８】
本発明は、かばん本体に取り付けたケース部の化粧板と裏板との間に横引き可能に組み込まれているスライダの錠止部により、かばん蓋に取り付けた鉤を係止するかばん用錠であって、前記スライダに回転子を外筒に組み込んでなるシリンダ部が固定されており、該回転子には複数個の可動障害子が内蔵されているとともにその下端部に係止カムが装着されており、該係止カムは回転子の回転によって前記ケース部に係合したときスライダの横引きを阻止し、かつこの状態で回転子の回転を可動障害子によって固定したときスライダに錠止機能を付与することを特徴とする。
【０００９】
また、本発明はスライダがケース部の化粧板と裏板との間に横引き可能に組み込まれており、前記スライダと裏板が化粧板に内包され、かつシリンダ部と係止カムが裏板の内側に収容されており化粧板の下面が平坦であることを特徴とする。
さらにまた、本発明は係止カムが弾性部材を介在してケース部に係合し、スライダを弾性部材の弾性力により横引き可能に保持することを特徴とする。
【００１０】
【発明の実施の形態】
本発明において、かばんは旅行用あるいは携帯用として一般に使用されるかばんおよびケースであって、かばん本体の開口部に蓋部が開閉可能に装着されている通常のかばんである。したがって、かばんの形体、大きさおよび材質などは特に限定されない。材質としては皮製、布製、金属製もしくはプラスチック製、またはこれらの二つ以上を組み合わせたものが使用できる。
【００１１】
本発明の錠は、このようなかばんに使用する横引き錠であって、実質的にはかばん本体に取り付ける錠に関する。かばん蓋に設ける鉤は、従来のものと同じであるので説明は省略する。前記錠はケース部に横引き可能に設けたスライダにシリンダ部を取り付けてなり、このシリンダ部は複数個の可動障害子を内蔵した回転子を外筒に挿入して形成されている。
【００１２】
本発明は、スライダに固定したシリンダ部の前記回転子の端部に係止カムを装着し、この係止カムによって錠止機能を得ることを特徴とする。すなわち、本発明の錠止構造は、シリンダ部の回転子に内蔵されている可動障害子によって回転子が回転しないように係止されている状態において、回転子の端部に装着した係止カムがスライダを動かないように錠止し、前記可動障害子を鍵で操作して回転子を回転させることによって、係止カムが錠止を解いてスライダを自由に横引きできるように構成されている。
【００１３】
次に、本発明の実施例を添付図面を参照して詳細に説明する。図１は本発明の好ましい実施形態に係わるかばん用シリンダ錠（以下、シリンダ錠とする）の分解図である。図１の左側には、シリンダ錠のケース部を形成する化粧板１と裏板３、及びこれら両者の間に組み込まれるスライダ２等を示し、右側にはスライダ２に取り付けるシリンダ部とその取付け金具を示している。シリンダ錠を構成するこれらの部品は、強度と加工のしやすさから通常は金属製である。例えば化粧板１、スライダ２及び裏板３は、金属板を打ち抜きして得られる金属片をプレス加工することによって容易に得ることができる。この場合、ケース部の形状は特定されないが、デザインと取り付け安定性などから通常は矩形状に形成される。
【００１４】
化粧板１は、シリンダ錠の外側をカバーする部材で、内部にスライダ２及び裏板３を組み込むことができる所望の空間を有しており、その上面の所定の位置には図示するようにシリンダ部を嵌挿するための切欠部７と錠止窓８が設けられている。この場合、切欠部７はシリンダ錠の開閉時におけるシリンダ部の移動域を確保するために、スライダ２の横引き幅だけ大き目に形成される。また、四隅にはシリンダ錠をかばん本体に鋲やねじによって取り付けるための孔９が設けられている。
【００１５】
また、スライダ２には、シリンダ部を取り付けるための切欠部１１が化粧板１の前記切欠部７に対応して設けられており、また図１において左側の端部には、スライダ２の横引き動作によって化粧板１の錠止窓８に出没する錠止部１５が形成されている。そして、切欠部１１と錠止部１５との間には、板ばね６のような弾性部材の片側を保持するための折曲げ突起１２が設けられている。この折曲げ突起１２は、例えばスライダ２に便宜的に設けた凹み部の一部を切り込みし、下方に折り曲げることにより形成できる。板ばね６を安定して保持するために、前記折曲げ突起１２は横方向に２個並べて設けるのが好ましい。
【００１６】
一方、裏板３にはスライダ２の幅に合わせて凹部３０が設けられていて、この凹部３０にスライダ２を嵌合することによりスライダ２を矢印方向に横引き可能に保持できる。この凹部３０には、スライダ２の前記折曲げ突起１２で片側を保持した板ばね６の他側を保持するための折曲げ部１３と、係止カムが係合してスライダ２の横引きを固定するためのストッパー１４が設けられている。さらに、凹部３０の両側には化粧板１と裏板３とを結合する際に有用な切欠３１と３３が形成されている。
【００１７】
次に、シリンダ部について説明する。図１に示す如く、シリンダ部２０の主要部は、可動障害子を内蔵する回転子５を外筒４に組み込むことによって構成される。この回転子５の下端には係止カム１９が装着されており、シリンダ部２０をスライダに取り付けたとき、この係止カム１９が回転子５の回転操作によってスライダ２の横引きを阻止する。また、回転子５の回転操作は、上端の鍵孔２３に鍵を差し込んで可動障害子を操作することにより行うことができる。
【００１８】
なお、図１において、１７はシリンダ部２０をケース部に取り付けるための留め金具で、その上部にはシリンダ部２０の回転子５の鍵孔２３を露呈させるための窓孔２８が設けられている。また、１６はシリンダ部２０のケース部から突出している上端部分に被着するキャップである。
【００１９】
本例において、ケース部とシリンダ部２０とは次の方法によって組み立てられる。先ず、留め金具１７の上部にキャップ１６を被冠して、キャップ１６の留めツメ２９と留め金具１７の窓孔２８の外側に設けたツメとをそれぞれ相手側に対し折り曲げることにより、キャップ１６と留め金具１７とを結合する。次いで、シリンダ部２０にこの留め金具１７を上方から被せた状態で、化粧板１の切欠部７に挿通し、更にこのシリンダ部２０をスライダ２の切欠部１１に、外筒４の側部に設けた位置決め用突起３４がスライダ２に接触するまで挿通する。スライダ２に接触したら留め金具１７の脚３５の下端に設けた留めツメ２１を、スライダ２の切欠部１１の周縁に対し外方向に折り曲げし、シリンダ部２０をケース部のスライダ２に固定する。そして、スライダ２の裏側において回転子５の下端に係止カム１９を取り付ける。
【００２０】
次いで、シリンダ部２０が固定されたスライダ２の下側に裏板３を配置して、この裏板３の凹部３０にスライダ２を嵌合する。その際に、スライダ２の突起１２と裏板３の折曲げ部１３との間に板ばね６を装入し、かつ該板ばね６と裏板３のストッパー１４との間に係止カム１９が位置するようにする。同時に、化粧板１の切欠部７の周部に設けた留め片１０と錠止窓８の両側に設けた留めツメ３２を、裏板３の切欠３３と切欠３１にそれぞれ挿入し、この状態で留め片１０と留めツメ３２を裏板３の裏面に当るように折り曲げる。これにより、化粧板１と裏板３との間にスライダ２が矢印方向に横引き可能に組み込まれた状態で、化粧板１と裏板３とを結合することができる。さらに、シリンダ部２０と回転子５に装着した係止カム１９とを、裏板３の内側に組み込むことができる。
【００２１】
図２は、このようにケース部に組み込まれた係止カム１９による錠止構造を示す平面説明図である。本例の係止カム１９は薄い金属板から形成されており、図２に示すように施錠時にスライダ２を動かないように固定するための錠止凸部３８と、施錠状態にないスライダ２に板ばね６の弾性力を作用させるための凸部３６を有している。このような係止カム１９のカム形状により、スライダ２は所望の横引き動作を得ることができる。本例ではカム形状を例示の板ばね６に適合するように形成しているが、係止カム１９のカム形状は板ばね６の形状やストッパー１４の位置などにより適宜変更できる。
【００２２】
図２に示する如く係止カム１９の錠止凸部３８が裏板３のストッパー１４に係合した状態では、回転子５はストッパー１４によって矢印方向には動かなくなる。係止カム１９の錠止凸部３８が前記ストッパー１４に係合するときが係止カム１９の錠止位置で、係止カム１９がこの錠止位置にあるとき、スライダ２は固定され横引きできない状態となる。この状態で、係止カム１９および回転子５が回転しないようにすれば施錠できる。
【００２３】
しかし、回転子５が回転して係止カム１９が仮想線の位置になると、係止カム１９はストッパー１４との係合が外れるため、回転子５を矢印方向に動かすことができる。その結果、スライダ２は化粧板１と裏板３との間において裏板３の凹部３０内を横引き可能となり、スライダ２の錠止部１５を化粧板１の錠窓８において自由に出没させることができる。
【００２４】
この場合に、スライダ２と裏板３の折曲げ部１３との間に板ばね６を設け、係止カム１９の錠止凸部３８がストッパー１４から外れた仮想線の状態（施錠されていない状態）で、係止カム１９の凸部３６が該板ばね６に接触するように設定しておくと、スライダ２に板ばね６の弾性力を作用させることができる。これににより、施錠されていないときのスライダ２を錠窓８（図１参照）の側に弾性的に押圧した状態に保持できる。
【００２５】
図３は、上記したように組み立てられた本例のシリンダ錠の正面図であり、図４は図３のＡ−Ａ部における断面図である。本例のシリンダ錠は、孔９を鋲またはねじで固定することによりかばん本体に取り付けできる。そして、施錠するときには、スライダ２の錠止部１５が化粧板１の錠窓８に対して自由に出没できる状態において、すなわちスライダ２が横引き可能な状態において、蓋側に取り付けた鉤部（図示せず）を錠窓８に差し込んで前記錠止部１５によって係止する。この状態で鍵を鍵孔２３に差し込み回転子５を回転して係止カムを錠止位置にし、同時にこの回転子５に内蔵されている可動障害子２２により回転子５が回転しないように拘束し施錠する。施錠を外すときには、これと逆の操作で鍵により可動障害子２２の拘束を解放して回転子５を回転し、係止カムを錠止位置から動かしてスライダ２が自由に横引きできるようにする。
【００２６】
本例のシリンダ錠において、化粧板１は約４〜６ｍｍの厚さの空間部を有しており、この空間部にスライダ２及び裏板３のほかシリンダ部２０の端部に装着した係止カム等が収容される。その結果、シリンダ錠でありながら化粧板１の下端面からは図４に示す如く何も外側に突き出ないので、シリンダ錠の裏面を平坦にすることができる。
【００２７】
次に、本例のシリンダ錠における錠止構造を図５乃至図７に従って具体的に説明する。図５はシリンダ部の断面図で、上部は図７のＹ部における断面、下部は図７のＸ部における断面をそれぞれ示し、図６は図５のＢ−Ｂ部における断面図である。図５において係止カム１９は省略してある。外筒４に嵌挿されている回転子５には、図６に示す如く可動障害子２２を挿入するためのスリットが中心の鍵孔部を貫通して設けられており、このスリットに可動障害子２２が挿入されている。
【００２８】
図８はこの可動障害子２２の一例である。可動障害子２２は、中央部に鍵を挿通するための孔３７を有する略矩形状をなしており、その両側に係止端３９と操作端４０を有している。また、その側端部にばね押え２４が設けられており、スリットに可動障害子２２を挿入したとき、可動障害子２２は図６の如くばね２５の作用でスリットから係止端３９が押し出される。そして、押し出された係止端は３９、外筒４と回転子５とのシェアラインを越えて外筒４の開口部２６（図６参照）に侵入し回転子の回転を阻止する。
【００２９】
回転子の鍵孔に鍵を差し込むと、鍵の山（鍵山）が対応する可動障害子２２の操作端４０の内側に接触係合して可動障害子２２を山の方向に動かし、係止端３９を外筒４の開口部２６からシェアラインの内側に後退させる。鍵によってすべての可動障害子２２の係止端がスリット内に引込まれると、可動障害子２２の拘束がなくなるので、回転子は自由に回転できる。そのため、鍵の差し込み方向における鍵山の位置と回転子５に内蔵されている可動障害子２２の位置とは一致している。そして、この鍵山の頂点が操作端４０の内側に係合したとき、可動障害子２２の係止端３９が、外筒４の開口部２６から脱出して回転子のスリット内に引き込まれるようになっている。そのため、可動障害子２２の中心から操作端４０の内側までの距離Ｌは、対応する鍵山の高さに合わせて調整されている。
【００３０】
前記距離Ｌとこのシリンダ錠の開閉用鍵における鍵山の高さとを、一つの回転子に組み込まれている複数個の可動障害子について変えることによって、錠止機能の異なる多数の錠を得ることができる。この場合、少なくとも一つの可動傷害子のＬを変えるだけで、錠止機能の異なる錠を得ることができるので、各錠に固有の錠止機能を容易に付与できる。
【００３１】
本発明において一つのシリンダ錠に使用する可動障害子２２の数は特定されないが、可動障害子２２の個数が多いほどシリンダ錠の錠止性能が向上する。これはシリンダ錠の特性である。つまり、施錠されたシリンダ錠を開けるには、前記したように各可動障害子２２の障害を鍵山によってすべて取り外さなければならないため、回転子５に内蔵されている可動障害子２２の個数と鍵山の数とは同じとなる。したがって、可動障害子２２の個数が増加すると、それに合わせて鍵山を多くする必要があり、山の数が多い高精細の鍵でなければ錠を開けることができなくなる。
【００３２】
しかしながら、可動障害子２２の個数が増えると、シリンダ部の構造が複雑になるために、シリンダ錠の製造加工コストが高くなるとともに、可動障害子２２を組み込むのに大きい回転子５が必要になる。かばん用錠のため、回転子５の大きさには制約があることから、通常は３〜５個程度が好ましく、本例では５個の可動障害子２２を使用している。可動障害子２２がこの程度の個数であれば、製造加工も比較的容易であり、かつ固有の錠止機能を有する所望のシリンダ錠を得ることができる。
【００３３】
また、可動障害子２２を回転子５に組み込む場合に、本例では図５に示す如く可動障害子２２の係止端の向きを１個おきに変えて挿入している。すなわち、５個の可動障害子２２のうち両側と真中の３個の可動障害子２２は紙面に向かって挿入し、他の２個は反対方向から挿入している。しかし、回転子５に対しすべての可動障害子２２の係止端が同一側に位置するように挿入することもできる。
【００３４】
シリンダ錠において可動障害子２２の係止端を本例のように変えるかあるいは同一側に揃えるかは、鍵山を鍵の両側に設けるかあるいは片側に設けるかによって適宜決めることができる。具体的には、本例のように可動障害子２２の係止端の向きが交互の場合には、可動障害子２２の操作端に係合する鍵山も交互に設け、また係止端の向きが同一の場合には、可動障害子２２の操作端に係合する鍵山を片側だけに設ければよい。いずれの場合でも鍵を回転子５の鍵孔２３に差し込むときには、可動障害子２２の操作端と該操作端に係合する鍵山とを常に一致させるために、鍵の向きをこれに合わせることが重要である。鍵の向きを合わせる便法として、図６に示すように回転子５の鍵孔２３を異形孔に形成し、鍵をこの異形孔に合わせて製作する方法が知られている。
【００３５】
図７は、図５の本例における可動障害子の回転子５の端部に、係止カム１９を装着したときの底面図である。図示のように係止カム１９は、回転子５の下端に形成した矩形状端部に嵌着されているので、可動障害子２２によって拘束されていない状態において回転子５が回転すると、この回転子５と一緒に回転する。そして、前記したようにスライダを横引きができないように固定したり、あるいはスライダを自由に横引きできる状態にする。
【００３６】
本例のシリンダ錠は上記したように構成されているので、図９に示す如く回転子５の鍵孔に、山と谷とを有する鍵２７を差し込むと、鍵２７の鍵山が回転子５に内蔵されている各可動障害子２２の操作端に順次に接触係合して可動障害子２２を鍵山の方向に押し動かす。その結果、それまで外筒４とのシェアラインを越えていた、該可動障害子２２の反対側の係止端が、シェアラインより内側に引き込まれる。そして、鍵２７を奥まで差し込んだとき、すべての可動障害子２２の係止端がシェアラインの内側に引き込まれる。この状態になると、可動障害子２２の拘束がすべて解消されるため、回転子５を鍵２７により回転させて係止カムを動作させることができる。これにより、シリンダ錠に錠止機能を付与して施錠し、あるいは施錠されているシリンダ錠を開けることができる。
【００３７】
以上本発明の好ましい実施形態について説明したが、本発明はこれに限定されないで、目的が達成できる範囲で適宜変更できる。例えば、係止カムは構造が簡略化できるため、通常は実施例のように裏板に係合させてスライダの横引きを阻止するが、化粧板に係合させてもよい。また、ケース部及びシリンダ部の形体やこれらを構成する部品は、シリンダ部の回転子に係止カムを装着することを満たしていれば、シリンダ錠としての基本構造の範囲内で変更できる。
【００３８】
【発明の効果】
本発明は、以上説明したようにかばん用シリンダ錠のスライダに錠止機能を付与する係止カムを、複数個の可動障害子を内蔵するシリンダ部の回転子に装着して錠止構造を構成しているので、かばん用錠にシリンダ錠を活用することができる。つまり、シリンダ錠の回転子に組み込んだ複数個の可動障害子の操作端までの距離（図８のＬ）とこのシリンダ錠の鍵山の高さとを変えることによって、各錠に固有の錠止機能を付与することができるので、異なる錠止機能を有し信頼性の高いかばん用錠が容易に得られる。
【００３９】
また、錠のケース部を形成している化粧板の内空間部にスライダ及び裏板を収容するとともに、スライダの横引きを固定する係止カムをシリンダ部の回転子の端部に装着して裏板の内側に収容し、シリンダ部の下端部が化粧板の下端面より外側に突出するのを防止できる。これにより、かばん用錠の裏面を平坦にできるので、従来の錠と同じように薄肉のかばん本体に安定して取り付けできる。
【図面の簡単な説明】
【図１】本発明の好ましい実施形態に係わるかばん用錠の分解図。
【図２】図１のかばん用錠の係止カム取り付け部における平面説明図。
【図３】図１のかばん用錠の平面図。
【図４】図３のＡ−Ａ部における断面図。
【図５】図４のかばん用錠のシリンダ部の断面図。
【図６】図５のＢ−Ｂ部における断面図。
【図７】図４のかばん用錠のシリンダ部における底面図。
【図８】好ましい実施形態に係わる可動障害子の平面図。
【図９】シリンダ部に鍵を差し込んだときの断面図。
【符号の説明】
１：化粧板
２：スライダ
３：裏板
４：外筒
５：回転子
６：板ばね
８：錠止窓
１５：錠止部
１６：キャップ
１９：係止カム
２０：シリンダ部
２２：可動障害子
２３：鍵孔
２７：鍵
３６：凸部
３８：錠止凸部
３９：係止端
４０：操作端
【図１】
2004346609.tif 000003
【図２】
2004346609.tif 000004
【図３】
2004346609.tif 000005
【図４】
2004346609.tif 000006
【図５】
2004346609.tif 000007
【図６】
2004346609.tif 000008
【図７】
2004346609.tif 000009
【図８】
2004346609.tif 000010
【図９】
2004346609.tif 000011